(57)【要約】【課題】施工が容易な出隅構造及びこれに用いられる出隅部材を提供する。【解決手段】出隅１０を有する壁下地１に複数の壁材３が上下方向に複数段鎧張りされ、その各段において、出隅１０の両側に位置する一対の壁材３１，３２の各出隅１０側の端部が、出隅部材４によって覆われた外壁構造である。出隅部材４は、上下方向に隣接する壁材３の間に差し込まれる差込部４３を備える。差込部４３は、上下方向に隣接する壁材３のうちの下側の壁材３の上端面に引っ掛かる引掛部５１，５２を備える。【選択図】図２
2019002129.tif 000002
【特許請求の範囲】
【請求項１】
出隅を有する壁下地に複数の壁材が上下方向に複数段鎧張りされ、その各段において、前記出隅の両側に位置する一対の壁材の各前記出隅側の端部が、出隅部材によって覆われた外壁構造であって、
前記出隅部材は、
上下方向に隣接する壁材の間に差し込まれる差込部を備え、
前記差込部は、
前記上下方向に隣接する壁材のうちの下側の壁材の上端面に引っ掛かる引掛部を備えることを特徴とする出隅構造。
【請求項２】
前記引掛部は、上下方向の中間部が壁下地側に突出するように屈曲した横断面く字状に形成されたことを特徴とする請求項１に記載の出隅構造。
【請求項３】
前記引掛部は、前記差込部の上端から壁下地側斜め下方に向かって突出したことを特徴とする請求項１に記載の出隅構造。
【請求項４】
出隅を有する壁下地に複数の壁材が上下方向に複数段鎧張りされ、その各段において、前記出隅の両側に位置する一対の壁材の各前記出隅側の端部を覆う出隅部材であって、
上下方向に隣接する壁材の間に差し込まれる差込部を備え、
前記差込部は、
前記上下方向に隣接する壁材のうちの下側の壁材の上端面に引っ掛かる引掛部を備えたことを特徴とする出隅部材。
【発明の詳細な説明】
【技術分野】
【０００１】
本発明は、出隅構造及びこれに用いられる出隅部材に関する。
【背景技術】
【０００２】
特許文献１には、鎧張りの壁のコーナー部の構造が開示されている。この構造では、コーナー部の両側に鎧張りされた壁材の間にコーナーカバーが配設されている。コーナーカバーの両側端には、両側の壁材の側端部の表面に重なる重なり部が形成されている。コーナーカバーの上端には、表面側に折り返された上はぜ部が設けられ、コーナーカバーの下端には上方に折り返された下はぜ部が設けられている。このコーナーカバーは、上はぜ部が壁材の表面上部に凹設された凹溝において上段のコーナーカバーの下はぜ部に係合され、下はぜ部が壁材の下端に嵌合されており、また、釘により壁下地に固定されている。
【先行技術文献】
【特許文献】
【０００３】
【特許文献１】実公平３−３３８８５号公報
【発明の概要】
【発明が解決しようとする課題】
【０００４】
ところで、前記コーナーカバーの施工は、上はぜ部を上段のコーナーカバーの下はぜ部に係合し、この状態でコーナーカバーを釘により壁下地に固定することで行われるが、作業に手間がかかるという課題がある。
【０００５】
本発明は前記事情に鑑みてなされたものであって、施工が容易な出隅構造及びこれに用いられる出隅部材を提供することを目的とする。
【課題を解決するための手段】
【０００６】
前記目的を達成するために本発明に係る一態様の出隅構造は、出隅を有する壁下地に複数の壁材が上下方向に複数段鎧張りされ、その各段において、前記出隅の両側に位置する一対の壁材の各前記出隅側の端部が、出隅部材によって覆われた外壁構造であって、前記出隅部材は、上下方向に隣接する壁材の間に差し込まれる差込部を備え、前記差込部は、前記上下方向に隣接する壁材のうちの下側の壁材の上端面に引っ掛かる引掛部を備えることを特徴とする。
【０００７】
また、本発明に係る一態様の出隅部材は、出隅を有する壁下地に複数の壁材が上下方向に複数段鎧張りされ、その各段において、前記出隅の両側に位置する一対の壁材の各前記出隅側の端部を覆う出隅部材であって、上下方向に隣接する壁材の間に差し込まれる差込部を備え、前記差込部は、前記上下方向に隣接する壁材のうちの下側の壁材の上端面に引っ掛かる引掛部を備えたことを特徴とする。
【発明の効果】
【０００８】
本発明に係る出隅構造及び出隅部材にあっては、出隅部材の差込部を上下方向に隣接する壁材の間に差し込み、引掛部を下側の壁材の上端面に引っ掛けることで、出隅部材を当該下側の壁材に容易に取り付けることができる。
【図面の簡単な説明】
【０００９】
【図１】図１は、本発明に係る一実施形態の出隅構造を示す斜視図である。
【図２】図２は、同上の出隅構造の正面図である。
【図３】図３は、図２のＡ−Ａ線断面図である。
【図４】図４は、同上の出隅構造に用いられる出隅部材の斜視図である。
【図５】図５は、図３のＢ−Ｂ線断面図である。
【図６】図６は、変形例の出隅部材の斜視図である。
【図７】図７は、変形例の出隅構造を示した図５に対応する断面図である。
【発明を実施するための形態】
【００１０】
以下に示す実施形態は、出隅構造及びこれに用いられる出隅部材に関し、詳しくは、出隅を有する壁下地に複数の壁材が上下方向に複数段鎧張りされた出隅構造及びこれに用いられる出隅部材に関する。
【００１１】
図１〜図３に示す本実施形態の出隅構造は、住宅等の建物における外壁の出隅部分を構成しており、出隅１０を有する壁下地１と、壁下地１に対して上下方向に複数段鎧張りされた複数の壁材（外壁材）３と、出隅１０を介して隣り合う壁材３の間を覆う複数の出隅部材４とを備えている。
【００１２】
（壁下地）
図３に示すように、本実施形態の壁下地１は、複数の下地板１１で構成されている。複数の下地板１１は、出隅柱１２０を含む複数の柱材１２に、複数の構造用面材１６、透湿防水シート１３及び複数の縦胴縁１４を介して固定されている。各下地板１１は、例えば合板又はＯＳＢ（Oriented Strand Board）等の木質系ボードからなる。なお、壁下地１は、胴縁や柱材等から構成されてもよい。
【００１３】
複数の下地板１１は、出隅柱１２０に縦胴縁１４を介して固定された一対の下地板１１０，１１１を含んでいる。一対の下地板１１０，１１１は、出隅柱１２０の屋外側において、一方の下地板１１０の裏面に他方の下地板１１１の端面が接している。これにより、一対の下地板１１０，１１１は、平面視において直角に交わっている。本実施形態ではこれら一対の下地板１１０，１１１で成す直角の角部が、壁下地１の出隅１０となっている。
【００１４】
壁下地１は、一対の下地板１１０，１１１のうちの一方の下地板１１０の表面で構成された第１下地面２１と、他方の下地板１１１の表面とこれと面一の一方の下地板１１０の端面とで構成された第２下地面２２とを備えている。第１下地面２１と第２下地面２２は、平面視で出隅１０を介して隣接しており、互いに垂直な面である。
【００１５】
（壁材）
壁下地１には、複数の壁材３が、防水紙１５を介して上下方向に複数段鎧張りされている。本実施形態の壁材３は、平板状の平型化粧スレートであり、正面視で左右方向（壁下地１に沿った水平な方向）に長い矩形板状に形成されている。なお、壁材３は、無垢材や集成材等の木製外壁材や、天然スレート等であってもよい。また、壁材３は、その他の窯業系サイディングや金属サイディングなどであってもよい。
【００１６】
本実施形態の複数の壁材３は、図１に示すように、上下方向に隣り合う壁材３が、左右方向における位置がずれるように千鳥張りされている。なお、複数の壁材３は、上下方向に隣り合う壁材３同士が、左右方向の位置が揃うように設けられてもよい。
【００１７】
壁材３は、下部が下段の壁材３の上部の表面に重なっている。壁材３において上段の壁材３に覆われる上部には、図示しない釘等の固着具が複数貫通している。これら複数の固着具は、壁下地１に打ち込まれており、これにより、壁材３は壁下地１に固定されている。本実施形態の壁材３は、上端部の表面が１段上の壁材３と２段上の壁材３とで２重に覆われている。
【００１８】
各段の複数の壁材３は、出隅１０の両側に位置する一対の壁材３１，３２を含んでいる。一対の壁材３１，３２は、互いに上下方向の位置を揃えて、出隅１０を介して隣り合っている。
【００１９】
図３に示すように、一対の壁材３１，３２の間には、壁下地１の出隅１０の屋外側に位置する隙間３３が形成されている。以下、必要に応じて、一対の壁材３のうち、壁下地１の第１下地面２１に沿った壁材３を第１壁材３１といい、第２下地面２２に沿った壁材３を第２壁材３２という。
【００２０】
（出隅部材）
壁下地１の出隅１０の屋外側には、壁材３の段数と同数の出隅部材４が、上下方向に複数並んでいる。出隅部材４は、複数の壁材３の各段において一対の壁材３１，３２の各出隅１０側の端部を覆っている。
【００２１】
図４に示す本実施形態の出隅部材４は、上下方向に延びた長尺状の金属製部材であり、金属板を曲げ加工することで形成される。出隅部材４は、カバー部４０と、一対の係止部４１，４２と、一対の引掛部５１，５２とを備えている。
【００２２】
図２に示すように、出隅部材４の上下長さは、対応する一対の壁材３１，３２の各々の上下長さよりも僅かに長い。カバー部４０は、第１壁材３１の出隅１０側の端部から第２壁材３２の出隅１０側の端部に亘ってカバーする。一対の係止部４１，４２は、第１壁材３１の下端部及び第２壁材３２の下端部にそれぞれ係止される。一対の引掛部５１，５２は、第１壁材３の上端面及び第２壁材３の上端面にそれぞれ引っ掛けられる。
【００２３】
図３に示すように、カバー部４０は、壁下地１の出隅１０を含むコーナー部分に沿って水平断面Ｌ字状に形成されており、平面視において略直角に交わった一対のカバー板部４０１，４０２を備えている。以下、必要に応じて、一対のカバー板部４０１，４０２のうち、第１壁材３１側に位置するカバー板部４０１を第１カバー板部４０１といい、第２壁材３２側に位置するカバー板部４０２を第２カバー板部４０２という。
【００２４】
第１カバー板部４０１は、第１壁材３１の表面と平行な平板状に形成されている。第２カバー板部４０２は、第１カバー板部４０１の第１壁材３１とは反対側端から略直角に突出し、第２壁材３２の表面と平行な平板状に形成されている。
【００２５】
第１カバー板部４０１における出隅１０とは反対側（第２カバー板部４０２とは反対側）の端部は、第１壁材３の出隅１０側端部の表面に沿っており、第２カバー板部４０２における出隅１０とは反対側（第１カバー板部４０１とは反対側）の端部は、第２壁材３の出隅１０側端部の表面に沿っている。これにより、第１カバー部４０と第２カバー部４０とで、第１壁材３の出隅１０側端部、第２壁材３の出隅１０側端部及び第１壁材３と第２壁材３との間の隙間３３が屋外側から覆われている。
【００２６】
図４に示すようにカバー部４０の下端部の裏側には、一対の係止部４１，４２が形成されている。各係止部４１，４２は、対応するカバー板部４０１の下端から壁下地１側に向かって延びた下片部４５と、下片部４５の壁下地１側端から上方に延びた係止片部４６とを備えている。
【００２７】
図２に示すように、一対の係止部４１，４２のうちの一方の係止部４１である第１係止部４１は、第１壁材３１の下端部の裏面に係止されており、他方の係止部４２である第２係止部４２は第２壁材３２の下端部の裏面に係止されている。具体的に各係止部４２は、下片部４５が対応する壁材３１，３２の下端面に沿って配置され、係止片部４６が対応する壁材３１，３２の裏面に係止される。これにより、出隅部材４の下端部は、第１壁材３１の屋外側及び第２壁材３２の屋外側への移動が規制される。
【００２８】
カバー部４０の上部は、当該出隅部材４の両側に配置された一対の壁材３１，３２と、この上段に配置された一対の壁材３１，３２との間に差し込まれる差込部４３を構成している。
【００２９】
差込部４３は、一対の壁材３１，３２の上端面にそれぞれ係止される一対の引掛部５１，５２を備えている。図４に示すように、本実施形態の一対の引掛部５１，５２は、差込部４３の上端部（カバー部４０の上端部）に形成されており、一対のカバー板部４０１，４０２の上端にそれぞれ繋がっている。
【００３０】
以下、必要に応じて、一対の引掛部５１，５２のうち、第１カバー板部４０１に繋がって第１壁材３１の上端面に引っ掛けられる引掛部５１を第１引掛部５１といい、第２カバー板部４０２に繋がって第２壁材３２に引っ掛けられる引掛部５２を第２引掛部５２という。
【００３１】
本実施形態の各引掛部５１，５２は、カバー板部４０１，４０２の上端に沿って延びており、カバー板部４０１，４０２の全長に亘って形成されている。各引掛部５１，５２は、図５に示すように、上下方向の中間部が壁下地１側に突出するように屈曲した横断面く字状に形成されている。ここで、横断面とは引掛部５１，５２の長手方向と直交する断面をいう。
【００３２】
各引掛部５１，５２は、カバー板部４０１，４０２の上端から壁下地１側斜め上方に延びた下斜片部５３と、下斜片部５３の上端から屋外側斜め上方に延びた上斜片部５４とを備えている。上斜片部５４の上端は、自由端となっている。各引掛部５１，５２は、対応する壁材３１，３２の上方に配置され、下傾斜片部５３が対応する壁材３１，３２の上端面に引っ掛けられる。
【００３３】
本実施形態の出隅部材４は、前述したように、一対の係止部４１，４２が一対の壁材３１，３２の下端部に係止され、かつ一対の引掛部５１，５２が一対の壁材３１，３２に引っ掛けられることで、釘やねじ等の固着具を用いることなく、一対の壁材３１，３２に取り付けられている。
【００３４】
図１〜図３に示すように、出隅部材４の上部の屋外側には、上段の出隅部材４の下部が重なっている。これにより、出隅部材４の上部（各カバー板部４０１，４０２の上部）は、上段の出隅部材４の下部（各カバー板部４０１，４０２の下部）によって覆われている。
【００３５】
（施工）
図１に示す複数の壁材３及び複数の出隅部材４は、例えば以下のように施工される。まず、壁下地１の第１下地面２１及び第２下地面２２の各々に、複数の壁材３が上下方向に複数段鎧張りされる。このとき、壁材３は第１下地面２１及び第２下地面２２の各々において、下方の壁材３から順に施工される。すなわち、各下地面２１，２２においては、まず、最下段の壁材３が施工される。この壁材３の施工は、壁材３が壁下地１に沿って配置され、この後、複数の固着具が壁材３を通して壁下地１に打入されることで行われる。
【００３６】
次に下から２段目の壁材３が施工される。このとき、壁材３は、その下部が下段の壁材３の上部の屋外側に重ねられ、この状態で複数の固着具が壁材３を通して壁下地１に打入されることで、壁下地１に固定される。そして、以後同様に、下段の壁材３の上部に重なるように１段ずつ複数の壁材３が順に施工され、これにより、第１下地面２１及び第２下地面２２の各々において、上下複数段の壁材３が固定される。
【００３７】
次に複数の出隅部材４が施工される。複数の出隅部材４は、下段の出隅部材４から順に施工される。最下段の出隅部材４は、カバー部４０の上部が対応する一対の壁材３１，３２（最下段の壁材３１，３２）の下部に沿うように配置され、続いて出隅部材４が一対の壁材３１，３２に沿って上方に移動させられることで、対応する一対の壁材３１，３２に取り付けられる。
【００３８】
上記のように出隅部材４が上方に移動されると、各係止部４１，４２の係止片部４６は、図２に示すように、対応する一対の壁材３１，３２と壁下地１との間に差し込まれ、対応する壁材３１，３２に係止される。また、一対のカバー板部４０１，４０２の上部（差込部４３）は、対応する一対の壁材３１，３２と、この上段の一対の壁材３１，３２の出隅１０側端部との間に差し込まれ、これにより、一対の引掛部５１，５２は、図５に示すように対応する一対の壁材３１，３２の上端面に引っ掛けられる。
【００３９】
ところで、上記のように出隅部材４のカバー部４０の上部（差込部４３）が、上下方向に隣接する壁材３の間に差し込まれたとき、出隅部材４の各引掛部５１，５２は、上下方向に隣接する壁材３によって屋内外方向に圧縮されて、下斜片部５３と上斜片部５４とが開くように弾性変形し、屋内外方向の厚みが小さくなる。そして、各引掛部５１，５２は、対応する壁材３１，３２の上方まで移動した時に自身の弾性によりその形状が復元し、これにより対応する壁材３１，３２の上端面に係止される。
【００４０】
すなわち、本実施形態の出隅部材４は、カバー部４０の上部を上下方向に隣接する壁材３の間に差し込むだけで、各引掛部５１，５２を対応する壁材３１，３２に係止することができ、簡単に施工することができる。また、上記のように各引掛部５１，５２は、上下方向に隣接する壁材３によって圧縮されたとき、弾性変形して屋内外方向の厚みが小さくなる。このため、カバー部４０の上部は、上下方向に隣接する壁材３の間に容易に差し込むことができる。また、メンテナンス時等において、出隅部材４を取り外すときには、出隅部材４を下方に移動して各引掛部５１，５２を上下に隣接する壁材３の間から容易に引き抜くこともできる。
【００４１】
次に下から２段目の出隅部材４が施工される。この出隅部材４の施工も、最下段の出隅部材４と同様に行われる。すなわち、この出隅部材４は、カバー部４０の上部を対応する一対の壁材３１，３２の下部に沿うように配置され、続いて出隅部材４を一対の壁材３１，３２に沿って上方に移動されることで、対応する一対の壁材３１，３２に取り付けられる。このように出隅部材４が上方に移動されると、各係止部４１，４２の係止片部４６は対応する一対の壁材３１，３２と壁下地１との間に差し込まれて、対応する壁材３１，３２に係止される。また、一対のカバー板部４０１，４０２の上部は、対応する一対の壁材３１，３２と、この上段の一対の壁材３１，３２の出隅１０側端部との間に差し込まれ、一対の引掛部５１，５２が対応する一対の壁材３１，３２の上端面に引っ掛けられる。
【００４２】
そして、以後同様に、下方に位置する出隅部材４から順番に施工され、これにより、上下複数の出隅部材４が、複数の壁材３に取り付けられる。
【００４３】
本実施形態では、複数の出隅部材４が、上下複数段の壁材３の施工後に施工されるため、壁材３を施工するにあたって、例えば第１下地面２１に上下複数段の壁材３を鎧張り施工した後、第２下地面２２に上下複数段の壁材３を鎧張り施工することができ、複数の壁材３を第１下地面２１及び第２下地面２２の各々で独立して施工することができる。
【００４４】
なお、各出隅部材４は、壁下地１の第１下地面２１及び第２下地面２２に、各段の壁材３が施工される度に施工されてもよい。この場合、出隅部材４を施工するときには、対応する一対の壁材３１，３２よりも上段の壁材３１，３２は未だ施工されていないため、上段の壁材３１，３２が邪魔にならず、出隅部材４を容易に施工することができる。
【００４５】
（変形例）
次に変形例について説明する。なお、以下の変形例の説明では、前記実施形態と共通する構成については同一の符号を付して説明を省略する。
【００４６】
図６に本変形例の出隅部材４を示す。本変形例の出隅部材４の各引掛部５１，５２は、カバー板部４０１，４０２の上端から壁下地１側斜め下方に突出しており、各引掛部５１，５２の先端（下端）は、自由端となっている。各引掛部５１，５２は、図７に示すように先端が対応する壁材３１，３２の上端面に引っ掛けられている。
【００４７】
本変形例において出隅部材４のカバー部４０の上部（差込部４３）が、上下方向に隣接する壁材３の間に差し込まれて圧縮されたとき、各カバー板部４０１，４０２の上端部（差込部４３の上端部）は、引掛部５１，５２がカバー板部４０１，４０２に近づくように弾性変形する。そして、カバー部４０の上端部は、引掛部５１，５２が対応する壁材３１，３２の上方まで移動した時に自身の弾性によりその形状が復元し、これにより各引掛部５１，５２は対応する壁材３１，３２の上端面に係止される。
【００４８】
本変形例の出隅部材４は、カバー部４０の上端部（各引掛部５１，５２と対応するカバー板部４０１，４０２との接続部分）が、上端に近い部分ほど屋内外方向の寸法が小さくなるような尖り形状に形成されている。このため、カバー部４０の上部（差込部４３）は、上下方向に隣接する壁材３の間に下方から差し込みやすい。また、各引掛部５１，５２はカバー部４０の上端部から壁下地１側斜め下方に突出して、その先端が対応する壁材３１，３２の上端面に引っ掛けられる。このため、カバー部４０の上部は、上下方向に隣接する壁材３の間から下方に抜け難く、出隅部材４を一対の壁材３１，３２に強固に取り付けることができる。
【００４９】
（効果）
以上説明した実施形態及び変形例の出隅構造は、出隅１０を有する壁下地１に複数の壁材３が上下方向に複数段鎧張りされ、その各段において、出隅１０の両側に位置する一対の壁材３１，３２の各出隅１０側の端部が、出隅部材４によって覆われた外壁構造であって、以下に示す特徴を有する。出隅部材４は、上下方向に隣接する壁材３の間に差し込まれる差込部４３を備える。差込部４３は、上下方向に隣接する壁材３のうちの下側の壁材３の上端面に引っ掛かる引掛部５１，５２を備える。以下、この特徴を有する出隅構造を第１の態様の出隅構造という。
【００５０】
第１の態様の出隅構造にあっては、出隅部材４の差込部４３を上下方向に隣接する壁材３の間に差し込み、引掛部５１，５２を下側の壁材３の上端面に引っ掛けることで、出隅部材４を当該下側の壁材３に容易に取り付けることができ、施工が容易である。また、この態様においては、出隅部材４の固定に際して、壁材３に釘等の固着具を打ち込む必要がないため、壁材３にクラック等が発生するのを防ぐことができ、更には、出隅部材４を幅広にする必要がないため、スマートな外観を与えることができる。
【００５１】
また、前記実施形態の出隅構造は、第１の態様の出隅構造が有する特徴に加えて、以下に示す付加的な特徴を有する。引掛部５１，５２は、上下方向の中間部が壁下地１側に突出するように屈曲した横断面く字状に形成される。以下、この出隅構造を第２の態様の出隅構造という。
【００５２】
第２の態様の出隅構造にあっては、引掛部５１，５２を単純形状にすることができ、出隅部材４を容易に製作できる。また、差込部４３を上下方向に隣接する壁材３の間に差し込んだとき、く字状の引掛部５１，５２が上下方向に隣接する壁材３によって圧縮されて屋内外方向の寸法が小さくなる。このため、差込部４３を上下方向に隣接する壁材３の間に容易に差し込むことができる。また、メンテナンス時等においては、出隅部材４を下方に移動して引掛部５１，５２を上下に隣接する壁材３の間から容易に引き抜くこともできる。
【００５３】
また、変形例の出隅構造は、第１の態様の出隅構造が有する特徴に加えて、以下に示す付加的な特徴を有する。引掛部５１，５２は、差込部４３の上端から壁下地１側斜め下方に突出する。以下、この出隅構造を第３の態様の出隅構造という。
【００５４】
第３の態様の出隅構造は、引掛部５１，５２を単純形状にすることができ、出隅部材４を容易に製作できる。また、差込部４３の上端部は上方に尖った形状となるので、差込部４３を上下方向に隣接する壁材３の間に容易に差し込むことができる。また、各引掛部５１，５２は上下方向に隣接する壁材３の間から下方に抜け難く、出隅部材４を下側の壁材３に対して強固に取り付けることができる。
【００５５】
また、前述した実施形態及び変形例の出隅部材４は、出隅１０を有する壁下地１に複数の壁材３が上下方向に複数段鎧張りされ、その各段において、出隅１０の両側に位置する一対の壁材３１，３２の各出隅１０側の端部を覆う出隅部材であって、以下に示す特徴を有する。出隅部材４は、上下方向に隣接する壁材３の間に差し込まれる差込部４３を備える。差込部４３は、上下方向に隣接する壁材３のうちの下側の壁材３の上端面に引っ掛かる引掛部５１，５２を備える。以下、この特徴を有する出隅部材４を第１の態様の出隅部材４という。
【００５６】
第１の態様の出隅部材４にあっては、差込部４３を上下方向に隣接する壁材３の間に差し込み、引掛部５１，５２を下側の壁材３の上端面に引っ掛けることで、下側の壁材３に容易に取り付けることができる。
【符号の説明】
【００５７】
１  壁下地
１０  出隅
３  壁材
３１  壁材
３２  壁材
４  出隅部材
４３  差込部
５１  第１引掛部（引掛部）
５２  第２引掛部（引掛部）
【図１】
2019002129.tif 000003
【図２】
2019002129.tif 000004
【図３】
2019002129.tif 000005
【図４】
2019002129.tif 000006
【図５】
2019002129.tif 000007
【図６】
2019002129.tif 000008
【図７】
2019002129.tif 000009